(57)【要約】【課題】表面がエナメル、磁器、琺瑯等、又はプラスチックで平滑に形成されているホワイトボードに専用マーカーで書かれた文字、描線等を擦って消去する際、板面に専用インキの滓が残らずに長期間繰り返し除去でき、かつ、前記滓が脱落、飛び散り床等に散乱しないホワイトボード用消去具を提供する。【解決手段】消去具基部20と、この消去具基部20に植毛された繊維30とを有するホワイトボード用消去具10であって、前記繊維30が前記消去具基部20の外部に露出した長さが７ｍｍ〜３０ｍｍであり、該繊維30のうち０．１〜１．０％が導電性繊維である。【選択図】図１
2015024560.tif 000002
【特許請求の範囲】
【請求項１】
消去具基部と、この消去具基部に植毛された繊維とを有するホワイトボード用消去具であって、
前記繊維が前記消去具基部の外部に露出した長さが７ｍｍ〜３０ｍｍであり、該繊維のうち０．１〜１．０％が導電性繊維であることを特徴とするホワイトボード用消去具。
【請求項２】
前記繊維の太さが５〜１００デシテックスであることを特徴とする請求項１記載のホワイトボード用消去具。
【請求項３】
前記繊維の露出部分の繊維長は、内側から外側に行くにつれ、傾斜状に異なり、内側の最短繊維長に対し、外側の最長繊維長が１．２〜２．５倍であることを特徴とする請求項１又は２記載のホワイトボード用消去具。
【請求項４】
前記消去具基部において前記繊維が植毛されている部分の面積が、これらの全繊維を束ねた時の繊維束面積の１．２倍〜１０倍であることを特徴とする請求項１、２又は３記載のホワイトボード用消去具。
【請求項５】
前記消去具基部の内部に隠れた繊維長が、外部に露出した最短繊維長の０．５倍〜８倍の長さであることを特徴とする請求項１、２、３又は４記載のホワイトボード用消去具。
【発明の詳細な説明】
【技術分野】
【０００１】
本発明は、表面がエナメル、磁器、琺瑯等、又はプラスチックで平滑に形成されているホワイトボードに専用マーカーで書かれた文字、描線等を擦って消去する消去具に関する。
【背景技術】
【０００２】
ホワイトボード用マーカーのインキは、顔料、分散剤、樹脂、溶剤及び剥離剤から構成されることが一般的である。
前記ホワイトボードマーカーによりホワイトボードの板面に書かれた文字、描線等は、顔料と樹脂とを主成分とした着色層と、この着色層とホワイトボード表面との間に形成される剥離剤よりなる油分層とより構成されている。
このような文字、描線等は、布、スポンジ等で形成された消去具で払拭することで、板面から剥離させ、擦り落とすことで消去される。
【０００３】
従来のこの種の消去具においては、布等の平織物やパイル織物、スポンジ、フェルト、不織布等を用いるものが主流である。また例えば下記特許文献１に開示された技術のように、太さが異なる複数種の繊維を起毛させることで払拭部を形成したものも提案されている。
【０００４】
ところで、払拭部材として前記した平織物やパイル織物、スポンジ、フェルト、不織布等を用いた従来の消去具によると、使用を重ねるにつれてインキ滓の固まりが消去具の表面（特に端部）に固化して付着する傾向が強い。
【０００５】
このようにある程度以上にインキ滓が固着した消去具を使用すると、消去具の表面に固着している固形分と油分とがホワイトボード等筆記板表面に擦り付けられることで逆に板面に付着して汚染するという課題を有している。
しかし、下記特許文献１に開示されているように、太さが異なる複数種の繊維を起毛させることで払拭部を形成した消去具においても、撓みの少ない太い繊維により文字、描線等を砕き取るものの、砕き取ったインキ滓が消去具表面に溜まり、ホワイトボード等筆記板表面に擦り付けられることで逆に板面に付着して汚染するという課題を有している。
【０００６】
また、下記特許文献２に開示されているように、表面をプラスチックで被覆されたホワイトボード上に水性インクで書かれた文字等に対して０．５〜２０重量％の導電性繊維が混合された消去具が開示されているが、表面がプラスチックのホワイトボードは小板面の物が主で、一般的でなく、学校、企業では大板面で表面がエナメル、磁器、琺瑯等でコーティングされたものが主に使われている上に、ホワイトボード用マーカーのインキも前述のように溶剤系であるため、課題の解決につながっていないのが実情である。
【先行技術文献】
【特許文献】
【０００７】
【特許文献１】実用新案登録第２５７８２８９号
【特許文献２】特開昭６３−５７２９９号公報
【発明の概要】
【発明が解決しようとする課題】
【０００８】
本発明は、上述した従来技術に鑑み、すなわち、表面がエナメル、磁器、琺瑯等、又はプラスチックで平滑に形成されているホワイトボードに専用マーカーで書かれた文字、描線等を擦って消去する際、板面に専用インキの滓が残らずに長期間繰り返し除去でき、かつ、前記滓が脱落、飛び散り床等に散乱しないホワイトボード用消去具を提供することを課題とする。
【課題を解決するための手段】
【０００９】
（１）第１の発明
上記課題を解決するために、本願のうち第１の発明は、消去具基部20と、この消去具基部20に植毛された繊維30とを有するホワイトボード用消去具10であって、
前記繊維30が前記消去具基部20の外部に露出した長さが７ｍｍ〜３０ｍｍであり、該繊維30のうち０．１〜１．０％が導電性繊維であることを特徴とする。
【００１０】
従来の消去具は、平織物やパイル織物、スポンジ、フェルト、不織布からなり、ホワイトボードに専用マーカーで書かれた文字、描線等を擦って消去するが、すぐに消去具表面に前記マーカーのインキ滓が溜まり、捕集しきれない滓が脱落、飛び散り床等に散乱することとなっていた。また、消去具表面に滓が溜まることで、大幅に消去性が低下することともなっていた。
本発明では、繊維30が消去具基部20の外部に露出した長さが７ｍｍ〜３０ｍｍであり、従来品より繊維長が長いため、この繊維30の間に前記滓が捕集されることになり、擦る圧力で滓が繊維30内部に移動するため、常に消去具表面に余剰の滓が溜まらず、高い消去能力が持続することになる。
なお、繊維長が７ｍｍより短いと、滓の捕集が十分でなく、また繊維30先端で擦るため、消去しにくい。一方、３０ｍｍより長いと繊維30がバラバラになり、逆に滓が散乱することになる。
【００１１】
ここで、「消去具基部20」とは、ホワイトボード用消去具10の本体部分を形成し、消去の際に手で把持され得る立体形状を呈する部分をいう。この消去具基部20に対する繊維30の「植毛」の具体的な方法は、直接材質に対し接着あるいは溶着して取り外し不能に固定することとしても、嵌め込み等で取り外し可能に固定されることとしてもよく、特に限定されるものではない。
また、繊維30は消去具基部20の表面に植毛されることとしてもよいが、前記立体形状の一部が開放した構造で、その内部空間から植毛することとしてもよい。いずれの場合でも、消去具基部20から外部に露出した繊維30の長さが上記のとおりであればよい。
【００１２】
本発明における繊維30の素材としては、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維体からなるものが挙げられる。
なお、本発明に用いられる繊維30は、上記の長さであれば、直毛でも、縮れていても、いずれも使用可能である。
また、インキ滓の捕集も無限ではなく、消去具を洗浄することを考慮して、撥水性繊維の使用、又は繊維30に撥水処理することも効果的である。
【００１３】
さらに、本発明においては、ホワイトボードに専用マーカーで書かれた文字、描線等を擦って消去する際の静電気により、ホワイトボード表面が帯電し、滓が捕集できず散乱することを防止するため、該繊維30のうち０．１〜１．０％が導電性繊維である。
なお、導電性繊維の比率が０．１％を下回ると、除電効果が十分でない。一方、１．０％を上回ると消去具側は除電できるが、板面が帯電したままで、滓が消去具に捕集できない。
また、より消去効果を考慮すると、好ましくは０．３〜０．８％が導電性繊維であることが望ましく、主となる非導電性繊維の間に均等に分散することが望ましい。
【００１４】
導電性繊維には、ポリエステル樹脂、ポリアミド樹脂などを基材とする繊維30に導電性材料を被覆することによって繊維30に導電性を持たせたものや、上記基材の内部に導電性繊維束芯を構成する繊維30の少なくとも一部に導電性材料を含むものが用いられる。これらの繊維の抵抗値は１００ＧΩ／ｃｍ以下であることが望ましい。
【００１５】
導電性繊維に用いられる導電性材料は、ポリピロール、ポリチオフェン、ポリエチレンジオキシチオフェン、ポリイソチアナフテン、ポリアニリンなどの導電性樹脂を分散又は可溶化させた樹脂溶液を塗布し、固化又は加熱硬化させることにより得られる。また、これらの導電性材料を用いる際に、導電性を適宜調整するために、２，３，７，８−テトラシアノ−１，４，６，９−テトラアザナフタレン、ドデシルベンゼンスルホン酸、ｐ−トルエンスルホン酸などのドーパントを添加した導電性樹脂を使用することができる。
【００１６】
上記の導電性材料の代わりに、非導電性繊維の表面を金属メッキしたものを用いてもよい。この金属メッキに用いられる金属としては、アルミニウム、亜鉛、金、銀、銅、白金、パラジウム、ニッケル、イリジウム、ロジウム、コバルト、オスミウム、ルテニウム、鉄等が挙げられ、経済性、抗菌性等の点から、金、銀、銅が好適である。
【００１７】
また、前記繊維30に用いることができる導電性材料として、一般的な導電性材料であるカーボンブラック、黒鉛、及び、金属粒子等も用いることができる。全体がこのような材料からなる繊維30でも、本発明の場合、導電性繊維の比率が少ないため、問題となることは少ないと予測されるが、ホワイトボード表面を傷付け、疵に微細なインキ滓が入り込み消去性が低下する等の問題が出てくる。しかし、ポリエステル、ポリアミドなどの合成繊維の表面を被覆したり、繊維30の一部に上記の導電性材料を用いたりした場合、繊維30としての柔軟性を調整すれば、このような問題を回避できる。
【００１８】
（２）第２の発明
また、本願のうち第２の発明は、前記第１の発明の特徴に加え、前記繊維30の太さが５〜１００デシテックスであることを特徴とする。
すなわち、本発明の繊維30の太さは、５〜１００デシテックス、より好ましくは１０〜８０デシテックス、さらに好ましくは１０〜５０デシテックスである。ここで、繊維30の太さが５デシテックスより細いと細すぎて板面のインキを擦り落とす力が掛かり難い。一方、１００デシテックスより太いと固すぎて、まだらに消去されるため、好ましくない。
【００１９】
（３）第３の発明
また、本願のうち第３の発明は、前記第１又は第２の発明の特徴に加え、前記繊維30の露出部分の繊維長は、内側から外側に行くにつれ、傾斜状に異なり、内側の最短繊維長に対し、外側の最長繊維長が１．２〜２．５倍であることを特徴とする。
消去時は消去具の端、外周部に圧力がかかるため、繊維長が均等だと端、外周がつぶれやすく、使用を繰り返すと、消去具表面の平滑性が損なわれ、ホワイトボード板面と接触する面積が減少するので、本発明では、内側から外側に行くにつれ、傾斜状に繊維長が異なり、内側の最短繊維長に対し、外側の最長繊維長が１．２〜２．５倍の長さであることが望ましい。
【００２０】
最長、最短の長さ比は、繊維30の太さ、材質により、一概に言及できないが、本発明の範囲外では、いずれも平滑性の点で好ましくない。
また、傾斜の付け方は、断面Ｖ字状、半楕円状、放物線状等、内側から外側にかけて連続的に繊維長が漸増するものや、段階的に繊維長が増加するものも考えられる。このような傾斜の付け方については、繊維30の特質により適宜設計する必要がある。
このような長さの傾斜がある繊維30の植毛方法は、長さの異なる繊維30を消去具基部20に植毛する方法、同一長の繊維30を植毛後、傾斜上にカットする方法のいずれも考えられる。
【００２１】
（４）第４の発明
また、本願のうち第４の発明は、前記第１、第２又は第３の発明の特徴に加え、前記消去具基部20において前記繊維30が植毛されている部分の面積が、これらの全繊維30を束ねた時の繊維束面積の１．２倍〜１０倍であることを特徴とする。
ここで、１．２倍を下回ると、緻密すぎて繊維30間にインキ滓を捕集し難い。一方、１０倍を超えると、繊維30が少なすぎ、消去性に劣る。
【００２２】
（５）第５の発明
また、本願のうち第５の発明は、前記第１、第２、第３又は第４の発明の特徴に加え、前記消去具基部20の内部に隠れた繊維長が、外部に露出した最短繊維長の０．５倍〜８倍の長さであることを特徴とする。
本第５の発明においては、たとえば、お椀状、カップ状あるいは箱型等の消去具基部20の内部から繊維30が植毛されている場合に、内部に隠れた繊維長が、外部に露出した最短繊維長の0.5倍〜8倍の長さに調整すれば、さらにインキ滓が永続して捕集可能である。
【００２３】
なお、消去具基部20の内部に隠れた繊維長が露出した繊維30の０．５倍を下回ると、滓捕集が不十分である。一方、８倍を超えても消去時圧力だけでそれ以上滓が消去具内部に移行しにくいため、効果が増大しない。
【００２４】
以上、本発明をホワイトボードマーカー用の消去具として説明してきたが、ホワイトボード以外の平滑な非吸収面にホワイトボード専用マーカーで書かれた文字、描線等を擦って消去する場合であっても本発明に係るホワイトボード用消去具10は使用可能であり、ホワイトボード上で消去する場合と同様に、板面に専用インキの滓が残らずに長期間繰り返し除去でき、かつ、前記滓が脱落、飛び散り床等に散乱しない消去具となりうる。
【発明の効果】
【００２５】
本発明のホワイトボード用消去具は、表面がエナメル、磁器、琺瑯等、又はプラスチックで平滑に形成されているホワイトボードに専用マーカーで書かれた文字、描線等を擦って消去する際、板面に専用インキの滓が残らずに長期間繰り返し除去でき、かつ、前記滓が脱落、飛び散り床等に散乱しないホワイトボード用消去具となる。
【図面の簡単な説明】
【００２６】
【図１】本発明の第１の実施の形態に係る消去具の側面模式図である。
【図２】本発明の第２の実施の形態に係る消去具の側面模式図である。
【図３】本発明の第２の実施の形態に係る消去具を模式的に斜視図で示したものである。
【図４】本発明の第３の実施の形態に係る消去具の断面模式図である。
【図５】本発明の第４の実施の形態に係る消去具の断面模式図である。
【発明を実施するための形態】
【００２７】
以下、本発明の実施の形態を図面を参照しつつ説明する。なお、各図面はあくまで模式図であり、描かれている各部位の大きさや長さについては正確に再現されているわけではない。また、繊維30の材質や太さについては、先述のとおりである。
【００２８】
（１）第１の実施の形態
第１の実施の形態においては、図１に示すように、合成樹脂製の箱形の消去具基部20の表面に繊維30が植毛されている。ここで、植毛される繊維30は、図１（Ａ）に示すように直毛であってもよく、また、図１（Ｂ）に示すように縮れていてもよい。いずれの場合も、外部に露出した長さａは７〜３０ｍｍである。
【００２９】
（２）第２の実施の形態
第２の実施の形態においては、図２及び図３に示すように、植毛された繊維30は、内側から外側にかけて傾斜状に長くなっている。この傾斜としては、図２（Ａ）に示すように断面Ｖ字状であってもよいし、図２（Ｂ）に示すように曲線状の断面であってもよい。また、繊維30が植毛される消去具基部20の形状は、たとえば図３（Ａ）に示す直方体状や、図３（Ｂ）に示す円筒状等、任意の形状が採用できる。いずれの場合であっても、図２（Ａ）及び（Ｂ）に示すように、繊維30の内側の最短繊維長ｂに対し外側の最長繊維長ｃは１．２〜２．５倍となっている。
【００３０】
（３）第３の実施の形態
第３の実施の形態においては、図４の断面図に示すように、繊維30は消去具基部20の内部空間に植毛されている。すなわち、消去具基部20の内部では繊維30は結束されて半径ｅの繊維束を形成している。この結束部31から繊維30は外部に向かって広がり、消去具基部20から露出している部分の径はｄとなっている。ここで、結束された繊維束の断面積に対する露出部分の面積の比（ｄ２／ｅ２）は、１．２〜１０に設定されている。
【００３１】
（４）第４の実施の形態
第４の実施の形態においては、図５の断面図に示すように、繊維30は消去具基部20の内部空間に植毛されている。そして、消去具基部20の内部に隠れた繊維長ｆは、外部に露出した繊維30のうちの最短繊維長ｂの０．５〜８倍の長さとなっている。この関係は、図５（Ａ）のように繊維30が直毛の場合も、図５（Ｂ）のように繊維30が縮れている場合も同様である。
【実施例】
【００３２】
（１）実施例
（１−１）実施例１
図１に示すように、ポリプロピレン製の消去具基部に、２０デシテックスのナイロン製繊維と、銀メッキで被覆した３０デシテックスのナイロン繊維とを、９９．３：０．７の比率で均一に混合植毛してホワイトボード用消去具を得た。なお、繊維長ａは９ｍｍとした。
【００３３】
（１−２）実施例２
図２に示すように、ポリプロピレン製の消去具基部に、４０デシテックスのナイロン製繊維と、銀メッキで被覆した３０デシテックスのナイロン繊維とを、９９．５：０．５の比率で均一に混合し植毛後、同図に示す傾斜した長さにカットしてホワイトボード用消去具を得た。なお、最短繊維長ｂは９ｍｍ、最長繊維長ｃは１８ｍｍとした（ｃ／ｂ＝２．０）。
【００３４】
（１−３）実施例３
図４に示すように、ポリプロピレン製の消去具基部に、２０デシテックスのナイロン製繊維と、導電性カーボンブラックを含有した３０デシテックスのナイロン繊維とを、９９．１：０．９の比率で均一に混合し植毛後、図２に示す傾斜した長さ（最短繊維長ｂは９ｍｍ、最長繊維長ｃは１８ｍｍ）にカットしてホワイトボード用消去具を得た。なお、図４中の直径ｄで表される植毛部断面積が、同じく直径ｅで表される全繊維を束ねた時の繊維束面積の１．１倍（＝ｄ２／ｅ２）の面積となる繊維量とした。
【００３５】
（１−４）実施例４
実施例３と同品質繊維を同実施例と同一長で植毛し、図４中の直径ｄで表される植毛部断面積が、同じく直径ｅで表される全繊維を束ねた時の繊維束面積の４．３７倍（＝ｄ２／ｅ２）の面積となる繊維量とした。
【００３６】
（２）比較例
（２−１）比較例１
図１に示すように、ポリプロピレン製の消去具基部に、２０デシテックスのナイロン製繊維のみを実施例１と同様の密度で均一に混合植毛してホワイトボード用消去具を得た。なお、繊維長ａは実施例１と同様とした。
【００３７】
（２−２）比較例２
図１に示すように、ポリプロピレン製の消去具基部に、２０デシテックスのナイロン製繊維と、銀メッキで被覆した３０デシテックスのナイロン繊維とを、７５．０：２５．０の比率で実施例１と同様の密度で均一に混合植毛してホワイトボード用消去具を得た。なお、繊維長ａは実施例１と同様とした。
【００３８】
（２−３）比較例３
図１に示すように、ポリプロピレン製の消去具基部に、銀メッキで被覆した３０デシテックスのナイロン繊維のみを実施例１と同様の密度で植毛してホワイトボード用消去具を得た。なお、繊維長ａは実施例１と同様とした。
【００３９】
（２−４）比較例４
図１の繊維長ａを３ｍｍとした以外は実施例１と同様にしてホワイトボード用消去具を得た。
【００４０】
（２−５）比較例５
図１の繊維長ａを４０ｍｍとした以外は実施例１と同様にしてホワイトボード用消去具を得た。
【００４１】
（３）消去性試験
前記実施例１から４まで及び比較例１から５までのホワイトボード用消去具の消去性試験を下記の方法で実施した。
【００４２】
（３−１）初期消去性
市販の琺瑯製で縦約８０ｃｍ×横約１７０ｃｍのホワイトボードに、黒色ホワイトボードマーカー（商品名ＰＷＢ−２００−７Ｍ．２４、三菱鉛筆製）で、５０ｍｍ×５０ｍｍのマスの中に「三菱鉛筆」の４文字を１マス１文字ずつ筆記し、これを１時間後に消去して評価した。
評価基準は以下のとおりとした。
Ａ：目視で完全に消去できた。
Ｂ：目視で拭き残しが若干見られた。
Ｃ：目視で明らかに拭き残しが見られた。
【００４３】
（３−２）繰り返し消去性
上記（３−１）で使用したのと同じホワイトボードに、同じ黒色ホワイトボードマーカーで、１マス５０ｍｍ×５０ｍｍで縦１６段、横８列の計１２８マス中に「三菱鉛筆」の４文字を１マス1文字ずつ筆記して埋め尽くした後、１時間後に消去した。この作業を同ホワイトボードマーカーが書けなくなるまで繰り返した。このとき、ホワイトボードの下部に散乱する滓に着目し、評価基準は以下のとおりとした。
Ａ：ホワイトボード下部に滓の散乱が目立たない。
Ｂ：ホワイトボード下部に滓の散乱がやや目立つ。
Ｃ：ホワイトボード下部に滓の散乱が目立つ。
【００４４】
（３−３）ホワイトボードの汚れ性
上記（３−２）の試験において、ホワイトボード自体の汚れに着目し、評価基準は以下のとおりとした。
Ａ：ホワイトボードの汚れは目立たなかった。
Ｂ：ホワイトボードの汚れは少し目立った。
Ｃ：ホワイトボードの汚れが目立った。
【００４５】
（４）評価結果
上記（３−１）〜（３−３）の評価結果を下記表１に示す。
【００４６】
【表１】
2015024560.tif 000003
【００４７】
繊維を均等な長さで植毛した実施例１は、いずれの評価項目も概ね良好であったが、繰り返しにより繊維で形成された消去面の平滑性が低下し、消去に力を要するようになった。
一方、繊維の長さに傾斜を付けた実施例２は、実施例１より繰り返し消去性の評価が高まった。なお、消去性は良好であったが、ホワイトボード下部にインキ滓が目立つほどではないがわずかに認められた。
また、消去具基部の内部に繊維を植毛した実施例３は、実施例２よりもさらにホワイトボードの汚れ性の評価も高まった。なお、消去性は良好であったが、ホワイトボード下部にインキ滓が目立つほどではないがわずかに認められた。
さらに、実施例３に対し繊維量の密度を約４倍とした実施例４ではあらゆる状態で良好は消去性を示した。
【００４８】
一方、実施例１に対し、導電性繊維を用いない比較例１では、全ての評価項目が劣ることとなった。特に、使用後すぐに消去性が低下するとともに、インク滓が保持されずに多量に出ることとなった。
また、実施例１に対し、1.0％を上回る導電性繊維の比率とした比較例２では、比較例１ほどではないが、初期消去性及びホワイトボードの汚れ性の項目で実施例１よりも評価が劣っていた。特に、繰り返し消去はある程度可能ではあったものの、インク滓が盤面に残留するのが目立っていた。
さらに、実施例１に対し、全ての繊維を導電性とした比較例３ではかえって全ての項目の評価が最低となってしまった。とくに、消去後にインク滓が盤面に残留するのが顕著であった。
【００４９】
また、実施例１に対し、繊維長の短い比較例４では、初期消去性は優れてはいたものの、その他の項目の評価が劣っていた。特に、繰り返しの使用で消去性が著しく低下することとなった。
そして、実施例１に対し、繊維長の長い比較例４では、初期消去性及び繰り返し消去性は実施例１と同様の評価であったが、ホワイトボードの汚れ性の評価が劣ることとなった。特に、繰り返しの使用でインク滓の出が多くなるのが顕著であった。
【００５０】
以上の説明から明らかなように、本発明のホワイトボード用消去具によれば、表面がエナメル、磁器、琺瑯等、又はプラスチックで平滑に形成されているホワイトボードに専用マーカーで書かれた文字、描線等を擦って消去する際、板面に専用インキの滓が残らずに長期間繰り返し除去でき、かつ、前記滓が脱落、飛び散り床等に散乱することがない。その他、ホワイトボード以外の平滑な非吸収面に専用マーカーで書かれた文字、描線等擦って消去する場合にも、板面に専用インキの滓が残らずに長期間繰り返し除去でき、かつ、前記滓が脱落、飛び散り床等に散乱することがない。
【産業上の利用可能性】
【００５１】
本発明品は、表面がエナメル、磁器、琺瑯等、又はプラスチックで平滑に形成されているホワイトボードや、その他、ホワイトボード以外の平滑な非吸収面にホワイトボード専用マーカーで書かれた文字、描線等の消去のための消去具に利用することができる。
【符号の説明】
【００５２】
10  ホワイトボード用消去具
20  消去具基部
30  繊維                  31  結束部
【図１】
2015024560.tif 000004
【図２】
2015024560.tif 000005
【図３】
2015024560.tif 000006
【図４】
2015024560.tif 000007
【図５】
2015024560.tif 000008